(57)【要約】      （修正有）【課題】容器上に組み付け可能であり、容器内の液体を汲み上げるために用いられる汲上装置を提供する。【解決手段】汲上装置は、リングキャップ１と、収容管２と、汲上管３と、ブロック部材４と、ストッパ５と、弾性部材６と、プッシュキャップ７と、逆止め部材８とを含み、外力によってプッシュキャップが押圧されると、汲上管とストッパが連動して下向きに移動し、かつストッパがブロック部材と分離することにより、液体がストッパと汲上管及びブロック部材の間の４箇所の流通路から排出され、液体を高速で汲み上げることができ、それにより液体を汲み上げやすいという効果と押圧感の良さを実現している。【選択図】図１
0003234141.tif 000002
【実用新案登録請求の範囲】
【請求項１】
容器上に組み合わせて取り付け可能であり、容器内の液体を汲み上げるために用いられる汲上装置であって、当該汲上装置は、
前記容器上に組み付け可能なリングキャップと、
互いに連通する大管部と小管部を有する収容管であって、前記大管部が前記リングキャップと連設され、前記小管部が前記容器と連通している収容管と、
大管部に伸入する管本体と、前記管本体の上方部位で径が拡大して延伸しているプッシュ部と、前記管本体の内部で径が縮小し、かつ対称に分離している４つのリブと、２つのリブの間にそれぞれ流通空間が形成されている、前記リブを連結するリブリングとを有する汲上管と、
前記管本体の下方に被装され、かつ前記大管部の内部に当接しているブロック部材と、
前記ブロック部材と前記管本体の内部に同時に貫設されたロッドと、前記ロッドの下方で径が拡大して延伸している止め部であって、前記ロッドが前記止め部と連結されたロッド芯を形成している止め部と、外表面が対称に設置された４つの円弧部を有する前記ロッド芯から上向きに凸起している係合ヘッドと、前記円弧部の間に対称に分布している４つの平坦部とを有し、前記円弧部はそれぞれ前記管本体と前記ブロック部材の内壁面に接触し、各平坦部と前記管本体及び前記ブロック部材の内壁面との間にはそれぞれ流通路が形成され、前記流通路はそれぞれ前記流通空間と連通しており、前記係合ヘッドが前記リブリング内に対応するように嵌設され、前記止め部が前記ブロック部材と当接可能なストッパと、
前記リングキャップと前記汲上管の前記プッシュ部との間に当接された弾性部材と、
前記汲上管の上方に組み付けられ、内部に前記流通空間と連通する排液通路が形成されているプッシュキャップと、
前記大管部内に設置され、かつ大管部と小管部の間を開放的に閉鎖すると同時に、前記大管部、前記ブロック部材及び前記止め部と共同で収容空間を画定する逆止め部材と、を含み、
外力によって前記プッシュキャップが押圧されると、前記汲上管と前記ストッパが連動して下向きに移動し、かつ前記ストッパの前記止め部が前記ブロック部材と分離することにより、前記収容空間を前記流通路、前記流通空間及び外排液通路と連通させて、容器内の液体を排出可能な、
汲上装置。
【考案の詳細な説明】
【技術分野】
【０００１】
本考案は、汲上装置、特に押圧方式を利用して容器内の液体を汲み上げる汲上装置に関する。
【背景技術】
【０００２】
台湾特許番号Ｍ４９１６４２号「汲上装置」は、主に容器内の液体を押圧方式によって汲み出すものであり、該汲上装置が容器内の液体を汲み上げる際には、プッシュキャップを押圧し、汲上管とストッパを下向きに連動させて下方に移動させるが、この時、該ストッパの止め部がブロック部材の当接部から離れ、収容空間、流通路、貫通孔及び排液通路を同時に連通させ、該収容空間内の液体が止め部と当接部による押圧を受けて流通路、貫通孔を流動し、排液通路から排出され、それによって液体が外に汲み出される。従来の汲上装置は液体を汲み上げる作用を実現することはできるが、そのストッパの流通路とリブリング上の貫通孔などの液体の通路がかなり狭く設計されているため、液体の流動速度が遅く、特に濃い液体の流動性がより悪いので、従来の汲上装置には、液体の流動性が悪く、液体がかなり汲み上げにくいという欠点が存在している。
【先行技術文献】
【特許文献】
【０００３】
【特許文献１】台湾特許Ｍ４９１６４２号明細書
【考案の概要】
【考案が解決しようとする課題】
【０００４】
本考案の主な目的は、液体を汲み上げやすい汲上装置を提供することにある。
【課題を解決するための手段】
【０００５】
本考案の汲上装置は容器上に組み合わせて取り付け可能であり、容器内の液体を汲み上げるために用いられており、該汲上装置は、リングキャップと、収容管と、汲上管と、ブロック部材と、ストッパと、弾性部材と、プッシュキャップと、逆止め部材を含み、そのうち、該リングキャップは該容器上に組み付け可能であり、該収容管は互いに連通する大管部と小管部を有し、該大管部は該リングキャップと連設され、該小管部は該容器と連通しており、該汲上管は、大管部に伸入する管本体と、該管本体の上方部位の径が拡大して延伸しているプッシュ部と、該管本体の内部で径が縮小し、かつ対称に分離している４つのリブと、２つのリブの間にそれぞれ流通空間が形成されている、該リブを連結するリブリングを有し、該ブロック部材は該管本体の下方に被装され、かつ該大管部の内部に当接しており、該ストッパは、該ブロック部材と該管本体の内部に同時に貫設されるロッドと、該ロッドの下方で径が拡大して延伸している止め部であって、該ロッドが該止め部と連結されたロッド芯を形成している止め部と、外表面が対称に設置された４つの円弧部を有する該ロッド芯から上向きに凸起している係合ヘッドと、該管本体と該ブロック部材の内壁面にそれぞれ接触している該円弧部の間に対称に分布している４つの平坦部とを有し、各平坦部と該管本体及び該ブロック部材の内壁面との間にはそれぞれ流通路が形成され、該流通路はそれぞれ該流通空間と連通しており、該係合ヘッドは該リブリング内に対応するように嵌設され、該止め部は該ブロック部材と当接可能であり、該弾性部材は該リングキャップと該汲上管の該プッシュ部との間に当接されており、該プッシュキャップは該汲上管の上方に組み付けられ、内部には該流通空間と連通する排液通路が形成されており、該逆止め部材は、該大管部内に設置され、かつ大管部と小管部の間を開放的に閉鎖すると同時に、該大管部、該ブロック部材及び該止め部と共同で収容空間を画定している。
【０００６】
外力によって該プッシュキャップが押圧されると、該汲上管と該ストッパが連動して下向きに移動し、かつ該ストッパの該止め部が該ブロック部材と分離することにより、該収容空間を該流通路、該流通空間及び該排液通路と連通させて、容器内の液体を排出することができる。該汲上装置は、該汲上管及びストッパ上に該流通空間及び該流通路をそれぞれ形成するという設計により、液体を汲み上げる過程で、液体が流動する空間が増え、液体の流動抵抗が減るので、液体を汲み上げやすいという効果と押圧感の良さを実現している。
【図面の簡単な説明】
【０００７】
【図１】図１は、本考案の好適な実施例である汲上装置の立体分解概略図である。
【図２】図２は、本考案の好適な実施例である汲上装置の断面概略図である。
【図３】図３は、本考案の好適な実施例である汲上装置の部分立体概略図である。
【図４】図４は、本考案の好適な実施例である汲上装置のストッパを汲上管上に組み付けた場合の上面概略図である。
【図５】図５は、本考案の好適な実施例である汲上装置のストッパを汲上管内に組み付けた場合の上面断面図である。
【図６】図６は、本考案の好適な実施例である汲上装置の動作概略図である。
【考案を実施するための形態】
【０００８】
図１〜５を参照すると、本考案の好適な実施例である汲上装置は、容器（図示せず）上に組み合わせて取り付け可能であり、この容器には液体を入れることができ、該汲上装置は容器内の液体を汲み上げるために用いられる。該汲上装置は、容器上に組み付けられているリングキャップ１と、該リングキャップ１内に貫設されている収容管２と、該収容管２内に貫設されている汲上管３と、該収容管２内に組み付けられ、かつ該汲上管３の下方に位置するブロック部材４と、該汲上管３内に貫設されているストッパ５と、該リングキャップ１と汲上管３との間に当接されている弾性部材６と、該リングキャップ１の上方に組み付けられているプッシュキャップ７と、該収容管２内に設置されている逆止め部材８とを含み、そのうち、該リングキャップ１は、キャップ本体１１と、該キャップ本体１１内に設置された止め輪１２を有し、該収容管２は互いに連通する大管部２１と小管部２２を有し、該大管部２１は該止め輪１２と連結され、該小管部２２は容器内に挿入可能であり、該汲上管３は、大管部２１に伸入し、かつ該止め輪１２と連結された管本体３１と、該管本体３１の上方部位で径が拡大して延伸しているプッシュ部３２と、該管本体３１の内部で径を縮小し、かつ対称に分離している４つのリブ３３と、２つのリブ３３の間にそれぞれ流通空間３５が形成されている、該リブ３３を連結するリブリング３４とを有し、該ブロック部材４は該管本体３１の下方に位置し、かつ該大管部２１の内部に当接しており、該ストッパ５は、該ブロック部材４を貫通し、かつ該管本体３１の内部に貫設されているロッド５１と、該ロッド５１の下方で径が拡大して延伸している止め部５２であって、該ロッド５１が該止め部５２と連結されたロッド芯５１１を形成している止め部５２と、外表面が対称に設置された４つの円弧部５１３を有する該ロッド芯５１１から上向きに凸起している係合ヘッド５１２と、該円弧部５１３の間に対称に分布している４つの平坦部５１４とを有しており、該円弧部５１３はそれぞれ該管本体３１及び該ブロック部材４の内壁面と接触し、各平坦部５１４と該管本体３１及び該ブロック部材４の内壁面との間にはそれぞれ流通路５１５が形成されており、該流通路５１５はそれぞれ該流通空間３５と連通しており、該係合ヘッド５１２は該リブリング３４内に対応するように嵌設されており、該止め部５２は、該流通路５１５と大管部２１との連通を遮断するように該ブロック部材４に当接可能であり、該弾性部材６は該止め輪１２と該プッシュ部３２との間に当接しており、該プッシュキャップ７は該管本体３１と連結され、かつ該プッシュ部３２の上方に位置し、その内部には該流通空間３５と連通する排液通路７１が形成されており、該逆止め部材８は、該大管部２１内に設置され、かつ大管部２１と小管部２２の間を開放的に閉鎖すると同時に、該大管部２１、該ブロック部材４及び該止め部５２と共同で収容空間９を画定している。
【０００９】
組立においては、まず弾性部材６と止め輪１２をこの順に該汲上管３の管本体３１上に被装して、該弾性部材６を該プッシュ部３２と止め輪１２の間に位置させ、次にブロック部材４を該汲上管３の下方に組み付け、続いて該ストッパ５のロッド５１をブロック部材４に貫通させて該汲上管３の内部に連結する。この時、該止め部５２は該ブロック部材４と密着しており、その後、該逆止め部材８を該収容管２の大管部２１内に組み付け、それと同時に該大管部２１の上縁を該止め輪１２内に組み付け、さらに該止め輪１２を該キャップ本体１１内に設置し、最後に該プッシュキャップ７を該汲上管３と該キャップ本体１１上に連結すると、汲上装置の組立が完成する。該汲上装置を容器と組み合わせて使用したい場合は、まず小管部２２上にストロー（図示せず）を取り付け、次に該リングキャップ１を容器に螺接すれば、容器との組立が完成する。
【００１０】
図６を併せて参照すると、本考案の汲上装置が容器の液体を汲み上げる際には、まずプッシュキャップ７を押圧して汲上管３とストッパ５を下向きに連動させて移動させ、該止め部５２を該ブロック部材４から離すことで、該収容空間９を該流通路５１５、該流通空間３５及び該排液通路７１と連通させると、該収容空間９内の液体が押し出され、流通路５１５、流通空間３５を高速で通過して排液通路７１から排出される。それと同時に、該逆止め部材８が閉鎖状態となり、液体が小管部２２を経由して容器内に逆戻りすることを防止する。押圧する外力が消えると、該弾性部材６の回復力によって汲上管３とストッパ５が上向きに移動し、図２に示す状態に回復する。
【００１１】
本考案の汲上装置は、該汲上管３及びストッパ５上に該流通空間３５及び該流通路５１５をそれぞれ形成するという設計により、液体を汲み上げる過程で、液体が流動する空間を増やし、液体、特に濃い液体の流動抵抗を減らすと同時に、液体の流量を増やすこともでき、液体を汲み上げやすいという効果と押圧感の良さを実現している。
【符号の説明】
【００１２】
１  リングキャップ
１１  キャップ本体
１２  止め輪
２  収容管
２１  大管部
２２  小管部
３  汲上管
３１  管本体
３２  プッシュ部
３３  リブ
３４  リブリング
３５  流通空間
４  ブロック部材
５  ストッパ
５１  ロッド
５１１  ロッド芯
５１２  係合ヘッド
５１３  円弧部
５１４  平坦部
５１５  流通路
５２  止め部
６  弾性部材
７  プッシュキャップ
７１  排液通路
８  逆止め部材
９  収容空間
【図１】
0003234141.tif 000003
【図２】
0003234141.tif 000004
【図３】
0003234141.tif 000005
【図４】
0003234141.tif 000006
【図５】
0003234141.tif 000007
【図６】
0003234141.tif 000008